(57)【特許請求の範囲】
【請求項１】
光配線の基幹部分の中継のために設備される光ケーブル用の配線架において、配線架本体内に上下方向に多数配設固定される各中継トレーに、平坦部と立ち上がり部を連続的に形成して雛壇ないし階段状となし、当該雛壇ないし階段状中継トレーの各平坦部に光ケーブルの接続用器具を取付けて、回線毎に独立した収納スペースを確保するようにしたことを特徴とする多段型中継用トレーを具備した光ケーブル配線架。
【請求項２】
雛壇ないし階段状となした中継トレーの各段の上面を独立して覆うことができるようになした透明カバーを開閉自在で、且つ取り外し自在に付設したことを特徴とする請求項１記載の多段型中継用トレーを具備した光ケーブル配線架。
【請求項３】
雛壇ないし階段状となした中継トレーの各平坦部の長手方向両端部付近に光ケーブルを独立して保持することのできる柔軟性材料からなるホルダーを取付けたことを特徴とする請求項１または２記載の多段型中継用トレーを具備した光ケーブル配線架。
【発明の詳細な説明】
【０００１】
【発明の属する技術分野】
本発明は光配線の基幹部分の中継に使用される多段型中継用トレーを具備した光ケーブル配線架に関する。
【０００２】
【従来の技術】
光ケーブルネットワークにおいて、加入者側線路を形成する光ケーブルと、局内装置につながる局内光ケーブルとの間を中継するために光配線架が使用されている。当該配線架には、上下方向に多数の中継トレーが取付けられ、当該各中継トレーの上面において加入者側線路と局内ケーブルをコネクタやアダプター等の接続用器具を介して接続するようにしている。この従来の中継トレーについては配線架の左右の縦桟に対して水平を保持するフラットな板状となしたものや、作業性向上のために配線架の奥の方より手前側が低くなるように傾斜を設けたトレーが知られている。
【０００３】
【発明が解決しようとする課題】
ところで、光ケーブル配線架に要求される条件として、配線架は光配線の基幹部分の中継に使用され、周辺光ケーブルが活線状態での作業も当然あり得るため、コネクタ中継部が回線毎に分離され、コネクタを抜き差しするときに他の回線に影響を及ぼさないことが必要である。また、コネクタ中継するときに減衰器を使用して配線する場合もあり、この場合中継トレーに減衰器の収納スペースが確保されることも必要である。さらに、配線架の左側に加入者側線路の光ケーブル、配線架の右側に局内装置に接続された光ケーブルがそれぞれ分離収容されると共に、加入線路数の増加に対応できるよう、すなわちなるべく多くの数のケーブルを収容することができるようになっていることも必要である。
【０００４】
しかしながら、従来の光ケーブル配線架によっては、上記した諸要求条件を満たすことができなかった。すなわち、配線架本体に取付けられる従来の中継トレーは前記したように配線架の縦桟に対して水平を保持するフラットな板状となしたものであるため、接続作業の際に活線状態にある回線ケーブルと交えてトラブルを起こすことがあった。また、複数の回線が同一の中継トレーに輻輳した状態で収納されるようなこともあり、減衰器の収納スペースが確保されない場合も生ずるという問題点があった。さらに、傾斜型中継トレーの場合には、光ケーブルが斜面によって手前側にずれてくるのを防止するため別途ケーブル保持具を中継トレーに設けなければならないという問題点があった。
【０００５】
そこで、本発明は前記した従来の光ケーブル配線架の不具合点を解消し、配線架本体内に上下方向にわたって多数配設固定される各中継トレーを、雛壇ないし階段状に形成することによって、前記した光ケーブル配線架に要求される諸条件をクリアーできるようにした多段型中継用トレーを具備した光ケーブル配線架を提供することを目的とするものである。
【０００６】
【課題を解決するための手段】
前記目的を達成するための本発明の構成を詳述すれば、請求項１に係る発明は、光配線の基幹部分の中継のために設備される光ケーブル用の配線架において、配線架本体内に上下方向に多数配設固定される各中継トレーに、平坦部と立ち上がり部を連続的に形成して雛壇ないし階段状となし、当該雛壇ないし階段状中継トレーの各平坦部に光ケーブルの接続用器具を取付けて、回線毎に独立した収納スペースを確保するようにしたことを特徴とする多段型中継用トレーを具備した光ケーブル配線架である。
【０００７】
請求項２に係る発明は、雛壇ないし階段状となした中継トレーの各段の上面を独立して覆うことができるようになした透明カバーを開閉自在で、且つ取り外し自在に付設したことを特徴とする請求項１記載の多段型中継用トレーを具備した光ケーブル配線架である。
【０００８】
また、請求項３に係る発明は、雛壇ないし階段状となした中継トレーの各平坦部の長手方向両端部付近に光ケーブルを独立して保持することのできる柔軟性材料からなるホルダーを取付けたことを特徴とする請求項１または２記載の多段型中継用トレーを具備した光ケーブル配線架である。
【０００９】
本発明に係る光ケーブル配線架においては、上記のように中継トレーを雛壇ないし階段状となしたものであるから、コネクタ中継部を回線毎に独立させることができ、コネクタを抜き差しするときに他の回線ケーブルと交えるといった従来のトラブルを解消することができる。また、配線架の奥の方が手前側より高くなるように傾斜を設けた従来型中継トレーの場合には、作業性は幾分改善されるとしても、光ケーブル等が斜面に沿って手前側にずれてくるのを防止するため別途ケーブル保持具を設けなければならなかったが、本発明によった場合は、雛壇ないし階段状の中継トレーには段差を介してそれぞれ平坦部が設けられているため、光ケーブルや接続用器具等がずれるといった不具合がなく作業性がこれまでより大幅に改善される。
【００１０】
さらに、雛壇ないし階段状となした中継トレーの各平坦部を回線毎のコネクタ中継部とすることにより、減衰器等の収納スペースを確保することが可能になると共に、雛壇ないし階段状の段数を増やすことにより加入線路数の増加にも充分対応することができる。
【００１１】
【発明の実施の形態】
以下、本発明に係る多段型中継用トレーを具備した光ケーブル配線架の具体的構成を図示の実施形態に基づき詳細に説明する。
図１は本発明配線架の一実施形態を示す正面図、図２は図１に示す配線架の側面からみた内部構成図、図３は図１のＸ−Ｘ矢視図、図４は雛壇ないし階段状中継トレーの詳細を示す側面図である。
【００１２】
図中１は少なくとも４本の縦桟２と、この縦桟２の上下端面において縦桟２同士を繋ぐ横桟３とによって組み立てられるほぼ四角柱体状の光ケーブル配線架を示し、４は当該配線架１内に上下方向に亘って多数配設固定される中継トレーを示す。
【００１３】
各中継トレー４は従来型の単一の水平面を保持するフラットな板状とはなっておらず、図２及び図４に示すように、平坦部５と立ち上がり部６を連続的に形成して雛壇ないし階段状としてあり、当該雛壇ないし階段状中継トレー４の各平坦部５にアダプターのような光ケーブルの接続用器具７を取付けて、回線毎に独立した収納スペースを確保できるようになっている。
【００１４】
なお、図示の実施形態においては、光ケーブル配線架１の内部を中心部付近から前後に区画し、それぞれ対称となるように平坦部５と立ち上がり部６を連続的に形成した雛壇ないし階段状の中継トレー４を配設固定して、配線架１の正面側及び背面側からそれぞれの中継トレー４を用いて光ケーブルの接続を行えるようにしたものであるが、配線架１内を二分せずに一方の側にのみ中継トレー４を配設するようにしてもよいのは勿論である。
【００１５】
また、図示の実施形態においては、各中継トレー４を５段状に形成したものであり、光ケーブルの中継部となる平坦部５はそれぞれ段差を介して５面形成されるようになっている。なお、この実施形態以外にも、２段ないし４段としてもよいし、あるいは立ち上がり部６の立ち上がり高さを低くすることにより６段以上の段数にすることも可能であり、段数の増減によって本発明の範囲が変動するものではない。なお、雛壇ないし階段状中継トレー４を配線架１に取付けるにあたっては、適宜補強用の横桟８等を用いて脱落することのないよう確実に固定を図るものである。
【００１６】
次に、図中９は雛壇ないし階段状となした中継トレー４の各段の上面を独立して覆うことができるようになした透明カバーであり、当該透明カバー９は各中継トレー４の上面に突設した取付部材１０によって開閉自在になっていると共に、作業の都合によっては取り除いた方がよい場合もあるため取付部材１０から透明カバー９を取り外すこともできるようになっている。中継トレー４の各段の上面を当該透明カバー９によって覆うことにより、防塵効果が期待できると共に、所定の回線の入れ換え等の作業時にも、他の回線はカバーされることとなるため、誤って触れるようなトラブルを回避することができる。
【００１７】
また、図中の１１は雛壇ないし階段状となした中継トレー４の各平坦部５の長手方向両端部付近に取付けたゴム等の柔軟性材料からなるケーブルホルダーであり、当該ケーブルホルダー１１に凹設してあるホルダー溝内に光ケーブルを挿着することにより、接続用器具７を介して接続した光ケーブルの遊動を防止することができる。また、当該ケーブルホルダー１１に隣接して中継トレー４の端面に湾曲面を有するケーブルガイド１２を取付けることにより、中継トレー４の端面から外方に垂下する光ケーブルの曲げ半径を一定に確保することができるようになっている。
【００１８】
なお、本発明では光ケーブルの余長部は中継トレー４の内部においては処理せず、配線架１の縦桟２付近に配設したワイヤーサドル１３及び余長処理部材１４を用いて有効曲げ半径を確保した状態で余長処理を行えるようになっている。
【００１９】
本発明光ケーブル配線架は以上のような構成からなり、図１に示す配線架１の左側が加入者側線路、右側が局内装置側となっており、加入者側線路を構成する光ケーブルは配線架１の左側からケーブルガイド１２及びケーブルホルダー１１を介して所定の中継トレー４の平坦部５内に導き、光ケーブルの先端に取付けたコネクタを中継トレー４に設けてあるアダプターのような接続用器具７に繋ぐ。
【００２０】
その際、加入者側線路を構成する光ケーブルの余長部は配線架１の左側縦桟２近くに付設してあるワイヤーサドル１３及び余長処理部材１４を用いて一定の曲げ半径を確保した状態で巻き付けておく。
【００２１】
次に、局内装置側ケーブルの先端に取付けたコネクタを前記接続用器具７に繋ぎ、ケーブルホルダー１１及びケーブルガイド１２を介して中継トレー４の外部に導出させ、余長部を配線架１の右側縦桟２近くに付設してあるワイヤーサドル１３及び余長処理部材１４を利用して一定の曲げ半径を確保した状態で巻き付けておくものである。このような接続作業の際には、活線状態にある他の回線が収納されている中継トレー４の平坦部５上面を透明カバー９で覆っておき当該他の回線に影響を及ぼさないようにするものである。なお、この透明カバー９は取付部材１０から取り外すこともできるので、接続作業の状況によっては平坦部５上面から透明カバー９を取り除いて作業スペースを充分とるようにすることもできる。
【００２２】
【発明の効果】
このように、本発明に係る多段型中継用トレーを具備した光ケーブル配線架によれば、回線同士の取付けピッチを狭くしても、階段状の段差により他の回線と離隔した安全な作業スペースを確保することができ、結果的に平面型の中継トレーに並列的に取付けるものより回線の収容数を増加させることができる。
【００２３】
また、雛壇ないし階段状中継トレーのケーブル配線スペースは地面に対しほぼ水平状となっている平坦部によって形成されるため、傾斜型をなす従来の中継トレーのように光ケーブルのずれを防止する保持具の必要がない。さらに、各回線ケーブルを階段状の段差によって明確に識別することができ、配線架の左側に加入者側線路を構成する光ケーブル、配線架の右側に局内装置に接続する光ケーブルをそれぞれ整然と分離収容することができ、誤配線を防止することができると共に、雛壇ないし階段状中継トレーの高低差によって作業性が従来より格段に向上する。
【図面の簡単な説明】
【図１】本発明配線架の一実施形態を示す正面図である。
【図２】図１に示す配線架の側面からみた内部構成図である。
【図３】図１のＸ−Ｘ矢視図である。
【図４】雛壇ないし階段状中継トレーの詳細を示す側面図である。
【符号の説明】
１：光ケーブル配線架              ２：縦桟
３：横桟                          ４：中継トレー
５：平坦部                        ６：立ち上がり部
７：接続用器具                    ８：補強用横桟
９：透明カバー                  １０：取付部材
１１：ケーブルホルダー            １２：ケーブルガイド
１３：ワイヤーサドル              １４：余長処理部材
【図１】
0003837314.tif 000002
【図２】
0003837314.tif 000003
【図３】
0003837314.tif 000004
【図４】
0003837314.tif 000005